(57)【特許請求の範囲】
【請求項１】
複数の画素からなる固体撮像素子を有した撮像装置と、光源からの光を分光する分光手段を備え、
分光手段から分光を出力する出射端を、撮像装置によって撮像し、撮像装置の少なくとも１チャンネル以上の出力信号を観測することにより撮像装置の分光感度特性を測定する分光感度特性測定方法において、
撮像装置から得られた少なくとも１チャンネル以上の信号における、撮像によって得られた画像のひとつひとつの画素に対応する信号毎に、撮像装置が有する非線形特性の逆関数を通し、前記逆関数により補正された画素毎または画素毎のデータの平均値から撮像装置の線形的な分光感度特性を得ること特徴とする撮像装置の分光感度特性測定方法。
【請求項２】
上記撮像装置から得られた画像信号に、請求項１にて測定した分光感度特性を付すことを特徴とした撮像データ構成方法。
【請求項３】
分光分布特性がρ(λ)である色票を、画像出力装置の色空間に適合した撮像装置および前記色空間上で規定されている基準白色の照明下にて撮像した場合に得られる信号がＲｓ，Ｇｓ，Ｂｓであるとき、
請求項１に記載の分光感度特性測定方法により測定された分光感度特性がＲ(λ)，Ｇ(λ)，Ｂ(λ)である撮像装置によって撮像
された画像および上記画像のデータが記録保持されている画像ファイルにおいて、分光分布特性がＬ(λ)である光源下で前記色票を撮像したとき、前記ρ(λ)とＬ(λ)と各Ｒ(λ)，Ｇ(λ)，Ｂ(λ)との積を全波長において積分することによって得られる撮像装置の出力信号Ｒｃ，Ｇｃ，Ｂｃを３行３列のマトリクスを介することにより、前記Ｒｓ，Ｇｓ，Ｂｓと等しくなる前記３行３列のマトリクスの係数を、予め前記画像ファイルに添付しておくことを特徴とする撮像データ構成方法。
【発明の詳細な説明】
【０００１】
【発明の属する技術分野】
本発明は、ディジタルカメラやディジタルスチルカメラ等の撮像装置の色彩特性である分光感度特性を測定する方法、および、撮像装置により撮像されたデータを記憶または伝送する際の撮像データの構成方法に関するものである。
【０００２】
【従来の技術】
従来、撮像装置の色彩特性装置および方法としては、国際規格としてＩＥＣ（Internatinational Electrotechnical Commission）より１９９４年５月に出版された、「 International Standard IEC1146-1 Video cameras ( PAL / SECAM  / NTSC) - Methods of Measurement - Part 1 : Non-broadcasting single sensor cameras 」のSection 3, Clause 18に示されているものが代表的なものである。
【０００３】
図１８は、上述した撮像装置および方法を応用したもので、撮像装置の一例としてデジタルスチルカメラを使用した場合のデジタルスチルカメラの色再現性および階調特性を測定する装置の構成図である。
同図において、１は撮像装置、２０は撮像装置の被写体であるテストチャート（評価チャートとも称する）である。２１は安定した色温度を有しテストチャート２０を照射する照明光源、１５は撮像装置から出力されるデータを受信する画像出力装置であり、一例としてコンピュータなどがあげられる。
【０００４】
また、図１９は、テストチャート２０の構成図であり、基準色として白、黒、及び白から黒へ段階的に変化するグレースケール２２、及び赤、緑、青、などの数枚の色票２３を含む。
これらの色票２３の例として上述した国際規格のＡｎｎｅｘ  Ａ，Ｂにその特性を規定されたものがある。
【０００５】
図１９に示されるチャートの各色票２３のＲＧＢ値は既知のものであるとし（例えばデータを８ビットとすると、理想的には赤ならＲ＝２５５、Ｇ＝Ｂ＝０、緑ならＧ＝２５５、Ｒ＝Ｂ＝０、青ならＢ＝２５５、Ｒ＝Ｇ＝０）、これを理論値とする。
テストチャート１を撮像装置１で撮像したときに測定される各色票２３に対応するＲＧＢ値と理論値との差（色差）を求めることにより撮像装置１の色再現性を求めたり、白から黒へ段階的に変化するグレースケール２２を撮像装置１で撮像したときの測定値より撮像装置１の階調特性を求めることができる。
【０００６】
【発明が解決しようとする課題】
しかし、照明光源２１により照射されるテストチャート２０の照度はチャート上の位置で異なるため、同じ色票２３を撮影してもチャート上の位置によって測定値が異なり、照明むらを補正しなければ正確な値が得られないという問題点があった。
【０００７】
また、理想的な均一照明下でも撮像装置の撮像光学系の特性により例えば中心部と周辺部の光量差のために同じ色票２３を撮影しても測定値が異なるため、まず撮像装置の撮像光学系の特性が既知であり、その特性の補正をしなければ正確な値が得られないという問題点があった。
【０００８】
また、テストチャート２０が印刷物であると、退色、変色などの経時変化を伴うため、再現性の高い測定が困難であるという問題点があった。
【０００９】
また、チャート上の各色票に対するＲＧＢ値の測定値と理論値との色差は求められるが、各波長における撮像装置の分光感度特性が測定できないという問題点があった。
【００１０】
また、撮像装置が撮影した限られた種類の画像から得られる情報のみでは、その他の一般的な被写体による画像について精度の高い色補正ができないという問題点があった。
【００１１】
また、色彩特性測定装置の測定したデータと、撮像装置が撮影した画像との関連付けをするには、別途対応表を作る等の作業が必要になるという問題点があった。
【００１２】
また、照明光源２１の種類（分光分布特性）が変われば、撮像装置が撮影した個々の色票に対応したデータも変化するが、従来は個々の照明光源２１の特性を正確に反映する手段を持たないため、照明光源２１を含めた撮像装置の色彩管理が困難であるという問題点があった。特に、上記のような理由から撮像装置の分光分布特性を正しく測定する方法がなかったため、たとえ光源の分光感度特性などを正確に測定しても、該分光感度特性を有効に利用した色管理に結びつかなかった。
【００１３】
本発明は上記の問題点を解消するためになされたもので、評価チャートにおける照度ムラや経時変化、色票の管理などを行うことなく正確に分光感度特性を測定できることを目的としている。
【００１４】
また、照明の分光特性などを正確に把握しておく必要なく測定できることを目的としている。
【００１５】
さらにまた、被写体を正確に色再現できるために必要な分光感度特性を得る事を目的としている。
【００１６】
さらにまた、撮像装置から得られた分光感度特性を撮像データに付することによりその撮像装置の色彩特性を常に知ることが出来、一般的な画像について精度の高い色補正が出来ることを目的としている。
【００１７】
さらにまた、撮像装置の階調特性に依らない正確な分光感度特性を得る事を目的としている。
【００１８】
さらにまた、被写体の色再現を正確に画像出力装置において表示できる画像データを得る事を目的としている。
【００１９】
【課題を解決するための手段】
この発明に係る撮像装置の分光感度特性測定方法は、複数の画素からなる固体撮像素子を有した撮像装置と、光源からの光を分光する分光手段を備え、
分光手段から分光を出力する出射端を、撮像装置によって撮像し、撮像装置の少なくとも１チャンネル以上の出力信号を観測することにより撮像装置の分光感度特性を測定する分光感度特性測定方法において、
撮像装置から得られた少なくとも１チャンネル以上の信号における、撮像によって得られた画像のひとつひとつの画素に対応する信号毎に、撮像装置が有する非線形特性の逆関数を通し、前記逆関数により補正された画素毎または画素毎のデータの平均値から撮像装置の線形的な分光感度特性を得るものである。
【００２０】
この発明に係る撮像データ構成方法は、撮像装置から得られた画像信号に、請求項１にて測定した分光感度特性を付すことを特徴とするものである。
【００２１】
この発明に係る撮像データ構成方法は、分光分布特性がρ(λ)である色票を、画像出力装置の色空間に適合した撮像装置および前記色空間上で規定されている基準白色の照明下にて撮像した場合に得られる信号がＲｓ，Ｇｓ，Ｂｓであるとき、請求項１に記載の分光感度特性測定方法により測定された分光感度特性がＲ(λ)，Ｇ(λ)，Ｂ(λ)である撮像装置によって撮像された画像および上記画像のデータが記録保持されている画像ファイルにおいて、分光分布特性がＬ(λ)である光源下で前記色票を撮像したとき、前記ρ(λ)とＬ(λ)と各Ｒ(λ)，Ｇ(λ)，Ｂ(λ)との積を全波長において積分することによって得られる撮像装置の出力信号Ｒｃ，Ｇｃ，Ｂｃを３行３列のマトリクスを介することにより、前記Ｒｓ，Ｇｓ，Ｂｓと等しくなる前記３行３列のマトリクスの係数を、予め前記画像ファイルに添付しておくことを特徴とするものである。
【００２２】
【発明の実施の形態】
以下、本発明の一実施の形態を図面に基づいて説明する。尚、図において従来と同一符号は従来のものと同一あるいは相当のものを表す。
実施の形態１．
図１は、この発明の実施の形態１である分光特性測定方法を実現するための測定装置の外形を示す図である。
図において、１は被測定対象である撮像装置、２は分光器、３は分光器へ分光される光を入力する光源、４は撮像装置１における信号処理を施す信号処理回路、５は固体撮像素子、６は撮像装置１から映像信号（またはデータ）が出力される出力端子、７は分光器２から分光した光を射出する射出端である。
【００２３】
上記のように構成された測定装置において、その測定方法を説明する。
分光器２は内部にプリズムやグレーティング（回折格子）を有しており、光源３より入射した光を単一波長に分光する。上記光源３は、ハロゲンランプ等のランプとランプからの出射光を集光するレンズによる構成が一般的である。分光された単一波長である光は出射端７から出射される。
撮像装置１は分光器２から出射された単一光を撮像する。撮像した光は固体撮像素子５により光電変換され、カメラ信号処理に必要な信号処理、例えばガンマ補正や利得制御を行い、映像信号として出力端子６から出力される。
【００２４】
分光器２から出力される光の波長毎に撮像装置１の出力信号を得ることにより、撮像装置１の分光感度特性を得ることが出来る。
例えば、撮像装置１から白黒画像のように１チャンネルの出力信号が得られるとき図２に示すように波長に応じた撮像装置１の出力特性が得られる。
また、撮像装置１からカラー信号、例えばＲ，Ｇ，Ｂ信号のように３チャンネルの信号が得られる場合、分光器２から出力される光の波長に応じた各出力信号を得ることにより、図３に示すように波長に応じた撮像装置１の出力特性が得られる。
【００２５】
上記において、分光器２の出射端７の分光波長範囲を可視光にするように構成すれば、人間の視覚特性に適合した撮像装置１６の分光感度特性を得ることができる。
例えば、波長範囲を３８０nmから７８０nmになるように構成することで、日本工業規格ＪＩＳ Ｚ ８７２２による第１種分光測光器との整合がとれる撮像装置１の分光感度特性を得ることができる。
【００２６】
撮像装置１から得られる信号は、撮像装置１における非線形な特性を含んでいる。
例えば、固体撮像素子５は図４に示すように複数の画素から構成されている。前記固体撮像素子５はＣＣＤやＭＯＳ素子などが挙げられるが、今、１つの素子が図５に示す構造をしているとする。
図５において、１０は光電変換を行うフォトダイオード、１１は電荷を信号として蓄積するキャパシタ、１２は蓄積された電荷を読み出すＦＥＴ、１３は読み出された信号を増幅するアンプである。
上記のような構成をしているとき、入力される光に対して、フォトダイオード１０又はアンプ１３などが線形特性をしていないとき、画素から出力される信号は非線形特性を有することとなる。
【００２７】
また、撮像装置１における信号処理において、図６におけるガンマ補正処理などを行う場合に置いても、撮像装置１から得られる出力信号が非線形となる要因となる。
【００２８】
図２および図３に示した入力光の波長に応じた撮像装置１の出力信号との関係は撮像装置１の非線形な特性を介した後の結果であり、この結果をそのまま撮像装置１の分光感度特性とすると、この特性は撮像装置１の非線形特性によるものであり、その取り扱いははなはだ不便なものとなる。
例えば、分光感度特性を色空間の変換などの色彩管理に利用しようとする場合、その原則として測色学における加法則が成立することを前提としているので、分光感度特性が線形特性であることの効果は大である。
【００２９】
いま、撮像装置１の線形特性である各信号をＤｃ（λ）とする。ｃは撮像装置１から得られる信号の種類を示し、白黒撮像装置であれば１チャンネルのみであり、Ｒ，Ｇ，Ｂ信号を出力するカラー撮像装置であればｃ＝Ｒ，Ｇ，Ｂである。先に述べた固体撮像素子５内のアンプ１３などによる非線形特性をｆｓｃ、信号処理におけるガンマ特性などによる非線形特性をｆｒｃとすると、撮像装置１の出力端から得られる信号Ｄｃ’（λ）は次の式（１）にて示すことが出来る。
0003663941.tif 000002
ここで、ｆｃ＝ｆｒｃ（ｆｓｃ）、ｃは出力信号の種類であり、白黒撮像装置であれば１チャンネルのみであり、ＲＧＢカラー撮像装置であればｆｃはｆＲ，ｆＧ，ｆＢである。
【００３０】
また、この実施の形態では撮像装置の非線形特性をｆｓｃとｆｒｃとを例にとって説明したが、他に非線形となる要因を有する撮像装置においてもそれらすべての特性を含めてｆｃの関数とすれば同様である。
よって、撮像装置１における分光感度特性は、前述の図１乃至図３に基づいた測定によって、撮像装置１から得られた出力信号Ｄ’ｃ（λ）から、次の式（２）にて求めることが出来る。
Ｄｃ（λ）＝ｆｃ−１（Ｄｃ’（λ））             ・・・（２）
【００３１】
ここで、撮像装置１にて分光器２の射出光を撮像した画像を図７に示す。
図７において、碁盤の目状になっているのは、固体撮像素子５のひとつひとつの画素であり、分光特性測定として用いる信号は分光器２からの射出光の部分のみであり、具体的には図７において斜線にて示された部分のみとなる。
ところが、分光器２の射出端における射出光は、図８に示すように均一な強度分布をしていない。
また、射出端７に拡散板を設けた場合に置いても、完全に均一とはならず、完全拡散板のように非常に拡散度の高い拡散板を用いれば、射出光が完全に拡散されるため撮像装置１に入射する光は極めて微量となり、射出端を大きくするか、光源３による入射光量を極めて大きくする必要があり、精度良く測定するためには、はなはだ非現実的な物となる。
【００３２】
撮像装置１の非線形特性ｆｃを例えば図９に示す特性とする。図１０にその一部を拡大した図を示す。
いま、図７において、（ｉ，ｊ）の位置における撮像装置１からの出力信号をＤ’（ｉ，ｊ）、（ｉ＋２，ｊ＋２）の位置における撮像装置１からの出力信号をＤ’（ｉ＋２，ｊ＋２）とすると、ｆｃの式（２）に示す逆関数を通した値Ｄ（ｉ，ｊ），Ｄ（ｉ＋２，ｊ＋２）は図９に示す値である。
【００３３】
式（２）に示した分光感度特性を算出する式は撮像装置１から得られた各波長における値を図７の斜線部に当たる値として導出するため、固体撮像素子５の画素単位に置き換えると、次の式（３）のようになる。
Ｄｃ（λ）＝ｆｃ−１（ΣＤｃ’ij（λ）／ｎ）      ・・・（３）
ij：固体撮像素子５の画素の位置
ｎ：算出に用いた画素数
この式（３）によると、（ｉ，ｊ），（ｉ＋２，ｊ＋２）の位置の画素だけに注目すると式（３）における（ΣＤｃ’ij（λ）／ｎ）は（Ｄ’（ｉ，ｊ）＋Ｄ’（ｉ＋２，ｊ＋２））／２となり、図１０に示すようにＤｃ（λ）はｆｃ−１（（Ｄ’（ｉ，ｊ）＋Ｄ’（ｉ＋２，ｊ＋２））／２）となる。
【００３４】
しかし、実際に線形特性である、Ｄ（ｉ，ｊ），Ｄ（ｉ＋２，ｊ＋２）から求められるＤｃ（λ）とはΔＤｃだけの誤差が生じてしまう。
よって、撮像装置１の分光特性は撮像装置１から、固体撮像素子５の各画素ごとの信号に対して非線形特性を示す関数ｆｃの逆関数を通し、得られた各画素ごとの信号の平均値からＤｃを算出することによって、誤差の少ない分光感度特性を導出することが出来る。
【００３５】
よって、分光感度特性を算出する式は次の式（４）にて表すことが出来る。
0003663941.tif 000003
Ｄｃij：各画素Ｄｃ’ij（λ）の非線形特性の逆関数を通した値
ij：固体撮像素子５の画素の位置
ｎ：算出に用いた画素数
【００３６】
本発明では、撮像装置１の分光感度特性を得るにあたり、固体撮像素子５の各画素ごとの信号から説明したが、一枚の固体撮像素子５上に複数の色フィルタが順次配列されている固体撮像素子５を用いた撮像装置１などに置いては、得られた画像のひとつひとつの画素ごとから式（４）による導出を行うことで同様に分光感度特性を得ることが出来る。たとえば、ベイヤー配列などにおける固体撮像素子５は、固体撮像素子５上のあるラインでＲ，Ｇ，Ｒ，Ｇ．．、次のラインではＧ，Ｂ，Ｇ，Ｂ．．．と色フィルタが順次されている。これに対して、撮像装置１から出力される画像が各画素ごとにＲ，Ｇ，Ｂが得られた場合、Ｒ信号の分光感度特性は画像の各画素毎のＲ信号を撮像装置１の非線形特性の逆関数を通した平均値から算出することが出来、Ｇ，Ｂ信号においても同様である。
【００３７】
このように、各画素ごとに撮像装置１の非線形特性の逆関数を通した値の平均値を各波長ごとに求めることにより、例えば、撮像装置１から得られた出力特性は図１１に示す出力特性が得られたとき、上述した補正を行った図１２に示す撮像装置１の入出力特性が線形特性である分光感度特性を求めることが出来る。
【００３８】
また、分光器２から射出される光Ｌ（λ）が測定する波長領域において図１３に示すように平坦でない場合、式（４）に示した分光感度特性の算出式は次の＠式（５）によって求めることが出来る。
Ｄｃ（λ）＝Σｆｃ−１（Ｄｃ’ij（λ））／ｎＬ（λ）・・・（５）
Ｄｃij：各画素Ｄｃ’ij（λ）の非線形特性の逆関数を通した値
ij：固体撮像素子の画素の位置
ｎ：算出に用いた画素数
Ｌ（λ）：分光器からの射出光の分光特性
【００３９】
実施の形態２．
図１４は撮像装置１にて撮像した画像データを画像出力装置１５へ出力している図である。撮像装置１によって撮像された画像のデータは画像毎に画像ファイルとして画像出力装置１５へと転送される。前記転送は撮像装置１と画像出力装置１５とを直接つなぐケーブル１６によってシリアル/パラレル通信にて行ったり、また赤外通信１７やストレージ媒体１８などを介して行われる。
【００４０】
従来技術では、撮像装置１によって撮像した画像データは画像データのみを画像出力装置１５へと転送し、画像を出力するのみであった。
また他には画像データに撮影した日時などの簡単な記録データを付して、撮像データを構成していた。
しかし、図１４に示すように撮像装置１の分光感度特性と、画像出力装置１５の分光特性が異なる場合、同じ画像出力装置１５を用いた場合でも分光感度特性が異なる撮像装置１にて撮像した画像の色再現は異なり、又、逆に同じ撮像装置１でも画像出力装置１５が異なることに色再現が異なるため、これらの色再現性は設計者の感に頼るような、色再現性の設計を行っていた。
【００４１】
これらの問題に対して、ＮＴＳＣなどの画像出力装置１５ではその理想とする分光特性が定められており、撮像装置１の分光感度特性も当然この分光特性に準ずるように設計すべきであるが、撮像装置１の種種の問題によりすべての撮像装置１がこれに準じた分光感度特性を有しているわけではない。
また、画像出力装置１５はＮＴＳＣのみに限らず様々な画像出力装置１５があるため、撮像装置１の分光感度特性をどのように定めればよいのか、一つに定めることが出来ない。
【００４２】
そこで、本発明では従来の画像データに実施の形態１で示した方法によって導出されて撮像装置１の分光感度特性を付した形で撮像データを構成することにより、撮像装置１から得られる画像データを取り扱う上でその撮像装置１の分光感度特性が既知のものとなるため、例えば、画像出力装置における表示の際に色再現性を同一にさせるカラーマッチングなどを行う際にも重要なデータとして用いることが出来る。
【００４３】
図１５にデータ形式の一例を示す。従来画像データのみであったデータ構成に、ヘッダ部またはフッダ部に請求項１にて測定した分光感度特性を付した形としてデータを構成する。このデータをひとつの画像データとして記憶保持または伝送することにより撮像装置１の分光特性データを画像出力装置へ転送する。画像出力装置は画像データに添付された分光感度特性を用いて画像データの色変換等に用いることが出来たり、色再現性を補償することが出来る。
例えば、図１６に示すようにインターネットなどに挙げられる伝送手段を用いる場合、各機種におけるカラーマネージメントを行うとした場合、一度Ｒ，Ｇ，Ｂなどで得られた画像データを標準色空間に変換することが推奨されている。ここでの標準色空間はＩＥＣ６１９６６−２−１で定義されているｓＲＧＢや、ＣＩＥＬａｂやＣＩＥＬｕｖ、ＸＹＺなど特には問わない。その際、撮像装置１の分光特性が既知であると適切な色空間への変換が容易である。
【００４４】
また、本実施の形態では図１４に画像出力装置１５の図としてパーソナルコンピュータまたはモニタを図示したが、モニタに限らずプリンタやプロジェクタなどの画像出力装置１５においても同様である。
【００４５】
実施の形態３．
図１４は、上述した実施の形態で示したように撮像装置１によって被写体を撮像している図である。いま、前記撮像装置１が前記画像出力装置１５の色空間に適合した撮像特性を有するものであり、例えば画像出力装置１５がＮＴＳＣモニタであれば前記撮像装置１はＮＴＣＳの撮像特性を有しており、ｓＲＧＢ空間を有する画像出力装置１５であれば、それに適合した撮像特性を有しているとし、予め既知の分光分布特性ρ(λ)である色票をテストチャート２０上に設置し、照明光源２１が前記色空間で規定されている基準白色である場合、前記撮像装置１から得られる前記色票の信号をＲｓ，Ｇｓ，Ｂｓとする。
【００４６】
実施の形態１により求められた分光感度特性がＲ(λ)，Ｇ(λ)，Ｂ(λ)である撮像装置１により、分光分布特性Ｌ(λ)である照明下で得られる前記色票の信号Ｒｃ，Ｇｃ，Ｂｃは次の式（６）で表される。
Ｒｃ＝∫ρ(λ)×Ｒ(λ)×Ｌ(λ) ｄλ
Ｇｃ＝∫ρ(λ)×Ｇ(λ)×Ｌ(λ) ｄλ               ・・・（６）
Ｂｃ＝∫ρ(λ)×Ｂ(λ)×Ｌ(λ) ｄλ
被写体におけるすべての色票において
Ｒｓ＝Ｒｃ
Ｇｓ＝Ｇｃ                                        ・・・（７）
Ｂｓ＝Ｂｃ
がなりたてばよいが、成り立たない場合は色再現性誤差が発生する。
この誤差を解消するためには次の（８）式に示したの３×３のマトリクス係数を決定すればよい。
【００４７】
【数１】
0003663941.tif 000004
【００４８】
これらの係数は例えば少なくとも３チャンネルの代表的な色票によって求めることができる。前記ａ１１〜ａ３３の９種のマトリクス係数を撮像装置１より得られる画像データに添付する。図１７に画像ファイルのデータ形式の一例を示す。例１は画像データの先頭に前記マトリクス係数を付加したデータである。例２は画像データの先頭に撮像装置１の分光感度特性および前記マトリクス係数を付加したデータである。これらのａ１１〜ａ３３の９種のマトリクス係数を画像ファイルに付することにより例えばパソコン上などで色再現誤差を補償することができる。
【００４９】
図１７に示したデータ形式は一例であり、画像データのいずれか一部に上記マトリクス係数を付加していれば同様の効果が得られることはいうまでもない。
【００５０】
以上は１チャンネルまたはＲ，Ｇ，Ｂ３チャンネルの撮像装置の場合について述べたが、Ｎ種（Ｎは自然数）の撮像装置について本発明による測定方法は有効である。
【００５１】
任意の光源の分光分布特性、任意の被写体の分光反射率特性および本発明により得られた被測定撮像装置の分光感度特性から、該撮像装置の出力信号を算出することができ、該撮像装置の各種の色に関する撮像信号を高精度に算出可能となる。例えばＮを十分に大きくした場合などは、光源の分光分布特性、本発明より得られた被測定撮像装置の分光感度特性、任意の被写体を撮像して得られる信号から該被写体の分光反射率特性を高精度に推定することも可能である。
【００５２】
【発明の効果】
以上のように、請求項１の撮像装置の分光感度特性測定方法に係る発明によれば、複数の画素からなる固体撮像素子を有した撮像装置と、光源からの光を分光する分光手段を備え、分光手段から分光を出力する出射端を、撮像装置によって撮像し、撮像装置の少なくとも１チャンネル以上の出力信号を観測することにより撮像装置の分光感度特性を測定する分光感度特性測定方法において、撮像装置から得られた少なくとも１チャンネル以上の信号における、撮像によって得られた画像のひとつひとつの画素に対応する信号毎に、撮像装置が有する非線形特性の逆関数を通し、前記逆関数により補正された画素毎または画素毎のデータの平均値から撮像装置の線形的な分光感度特性を得るので、正確な分光感度特性およびそれが得られる測定法を得ることができる。
【００５３】
また、請求項２の撮像データ構成方法に係る発明によれば、請求項１にて測定した分光感度特性を付すので、画像出力装置上における色再現に必要な情報を得ることが出来、カラーマッチングなどの色補正などにも用いることができる。
【００５４】
また、請求項３の撮像データ構成方法に係る発明によれば、分光分布特性がρ(λ)である色票を、画像出力装置の色空間に適合した撮像装置および前記色空間上で規定されている基準白色の照明下にて撮像した場合に得られる信号がＲｓ，Ｇｓ，Ｂｓであるとき、請求項１に記載の分光感度特性測定方法により測定された分光感度特性がＲ(λ)，Ｇ(λ)，Ｂ(λ)である撮像装置によって撮像された画像および上記画像のデータが記録保持されている画像ファイルにおいて、分光分布特性がＬ(λ)である光源下で前記色票を撮像したとき、前記ρ(λ)とＬ(λ)と各Ｒ(λ)，Ｇ(λ)，Ｂ(λ)との積を全波長において積分することによって得られる撮像装置の出力信号Ｒｃ，Ｇｃ，Ｂｃを３行３列のマトリクスを介することにより、前記Ｒｓ，Ｇｓ，Ｂｓと等しくなる前記３行３列のマトリクスの係数を、予め前記画像ファイルに添付しておくので、被写体を画像出力装置において正確に色再現できる。
【図面の簡単な説明】
【図１】  実施の形態１における分光感度特性測定装置を示す図である。
【図２】  白黒撮像装置のように１チャンネルの信号だけを出力する撮像装置における、各波長における出力信号。
【図３】  ＲＧＢカラー撮像装置のように３チャンネルの信号を出力する撮像装置における、各波長における出力信号。
【図４】  固体撮像素子の複数の画素を示す図である。
【図５】  固体撮像素子の画素構造の一例を示す図である。
【図６】  信号処理におけるガンマ補正を示す図である。
【図７】  分光器の射出端を撮像した画像の一例を示す図である。
【図８】  分光器の射出端の放射輝度ムラを示す図である。
【図９】  撮像装置の非線形特性を示す図である。
【図１０】  得られた信号を非線形特性の逆関数を通した信号を示した図である。
【図１１】  撮像装置出力信号の特性を示す図である。
【図１２】  撮像装置の分光感度特性を示す図である。
【図１３】  分光器から出力される光の分光分布を示した図である。
【図１４】  実施の形態２における撮像装置と画像出力装置との関係を示す図である。
【図１５】  実施の形態２における画像のデータ形式の例を示す図である。
【図１６】  標準色空間を含めた撮像装置と画像出力装置との関係を示す図である。
【図１７】  実施の形態３における画像のデータ形式の一例を示す図である。
【図１８】  従来技術における撮像装置の測定法を示す図である。
【図１９】  従来技術における撮像装置の測定法に用いるテストチャートの一例である。
【符号の説明】
１  撮像装置              ２  分光器              ３  光源
４  信号処理回路          ５  固体撮像素子        ６  出力端子
７  出射端              １０  フォトダイオード  １１  キャパシタ
１２  ＦＥＴ              １３  アンプ            １５  画像出力装置
１６  ケーブル            １７  赤外線発光および受光装置
１８  フロッピーディスク  ２０評価チャート        ２１照明光源
２２  グレースケール      ２３色票
【図１】
0003663941.tif 000005
【図２】
0003663941.tif 000006
【図３】
0003663941.tif 000007
【図４】
0003663941.tif 000008
【図５】
0003663941.tif 000009
【図６】
0003663941.tif 000010
【図７】
0003663941.tif 000011
【図８】
0003663941.tif 000012
【図９】
0003663941.tif 000013
【図１０】
0003663941.tif 000014
【図１１】
0003663941.tif 000015
【図１２】
0003663941.tif 000016
【図１３】
0003663941.tif 000017
【図１４】
0003663941.tif 000018
【図１５】
0003663941.tif 000019
【図１６】
0003663941.tif 000020
【図１７】
0003663941.tif 000021
【図１８】
0003663941.tif 000022
【図１９】
0003663941.tif 000023